(57)【特許請求の範囲】
【請求項１】
前身頃及び後身頃を個別又は一体的に構成する外装体と、
前身頃から後身頃にわたるように外装体の幅方向中間部に対して取り付けられた、吸収体を含む内装体とを備え、
前記吸収体は、繊維集合体に高吸収性ポリマーが保持されてなるものであり、
前記前身頃の外装体の両側部と前記後身頃の外装体の両側部とがそれぞれ接合されてサイドシール部が形成されることにより、ウエスト開口及び左右一対の脚開口が形成され、
前記外装体は、前記サイドシール部と対応する前後方向範囲である胴周り領域のうち、少なくとも内装体が固定された内装体固定領域の幅方向両側に、幅方向に弾性伸縮する胴周り伸縮領域を有している、
パンツタイプ使い捨ておむつにおいて；
前記内装体は、前後方向において前記前身頃の前記胴周り伸縮領域及び前記後身頃の前記胴周り伸縮領域とそれぞれ対応する前胴周りフィット領域及び後胴周りフィット領域を有しており、
前記前胴周りフィット領域の左側端部から前記後胴周りフィット領域の右側端部にかけて後側に向かうにつれて徐々に右側に位置するように、及び前記前胴周りフィット領域の右側端部から前記後胴周りフィット領域の左側端部にかけて後側に向かうにつれて徐々に左側に位置するようにそれぞれ延在し、かつ互いに股間部の幅方向中央部の一つの交点で交差する一対の細長状の斜め交差弾性伸縮部材が、その延在方向に伸長した状態で前記内装体における前記吸収体より裏側に固定されており、
前記一対の斜め交差弾性伸縮部材は、前記交点における前後方向の交差角が４５〜９０度とされるとともに、前記前胴周りフィット領域及び後胴周りフィット領域の間では前記交点から前側及び後側に向かうにつれて前後方向に対する鋭角側交差角がそれぞれ減少するよう延在されており、
前記外装体は、前記脚開口に沿って延在する脚周り弾性伸縮部材を有しないものであり、前記内装体は互いに交差することなく前後方向に沿って延びる引上げ弾性伸縮部材を有しない、
ことを特徴とするパンツタイプ使い捨ておむつ。
【請求項２】
前身頃及び後身頃を個別又は一体的に構成する外装体と、
前身頃から後身頃にわたるように外装体の幅方向中間部に対して取り付けられた、吸収体を含む内装体とを備え、
前記吸収体は、繊維集合体に高吸収性ポリマーが保持されてなるものであり、
前記前身頃の外装体の両側部と前記後身頃の外装体の両側部とがそれぞれ接合されてサイドシール部が形成されることにより、ウエスト開口及び左右一対の脚開口が形成され、
前記外装体は、前記サイドシール部と対応する前後方向範囲である胴周り領域のうち、少なくとも内装体が固定された内装体固定領域の幅方向両側に、幅方向に弾性伸縮する胴周り伸縮領域を有している、
パンツタイプ使い捨ておむつにおいて；
前記内装体は、前後方向において前記前身頃の前記胴周り伸縮領域及び前記後身頃の前記胴周り伸縮領域とそれぞれ対応する前胴周りフィット領域及び後胴周りフィット領域を有しており、
前記前胴周りフィット領域の左側端部から前記後胴周りフィット領域の右側端部にかけて後側に向かうにつれて徐々に右側に位置するように、及び前記前胴周りフィット領域の右側端部から前記後胴周りフィット領域の左側端部にかけて後側に向かうにつれて徐々に左側に位置するようにそれぞれ延在し、かつ互いに股間部の幅方向中央部の一つの交点で交差する一対の細長状の斜め交差弾性伸縮部材が、その延在方向に伸長した状態で前記内装体における前記吸収体より裏側に固定されており、
前記一対の斜め交差弾性伸縮部材は、前記交点における前後方向の交差角が４５〜９０度とされるとともに、前記前胴周りフィット領域及び後胴周りフィット領域の間では前記交点から前側及び後側に向かうにつれて前後方向に対する鋭角側交差角がそれぞれ減少するよう延在されており、
前記外装体として、前身頃を構成する前側外装体及び後身頃を構成する後側外装体を個別に有し、かつこれら前側外装体及び後側外装体は前後方向に離間されている、
ことを特徴とするパンツタイプ使い捨ておむつ。
【請求項３】
前身頃及び後身頃を個別又は一体的に構成する外装体と、
前身頃から後身頃にわたるように外装体の幅方向中間部に対して取り付けられた、吸収体を含む内装体とを備え、
前記吸収体は、繊維集合体に高吸収性ポリマーが保持されてなるものであり、
前記前身頃の外装体の両側部と前記後身頃の外装体の両側部とがそれぞれ接合されてサイドシール部が形成されることにより、ウエスト開口及び左右一対の脚開口が形成され、
前記外装体は、前記サイドシール部と対応する前後方向範囲である胴周り領域のうち、少なくとも内装体が固定された内装体固定領域の幅方向両側に、幅方向に弾性伸縮する胴周り伸縮領域を有している、
パンツタイプ使い捨ておむつにおいて；
前記内装体は、前後方向において前記前身頃の前記胴周り伸縮領域及び前記後身頃の前記胴周り伸縮領域とそれぞれ対応する前胴周りフィット領域及び後胴周りフィット領域を有しており、
前記前胴周りフィット領域の左側端部から前記後胴周りフィット領域の右側端部にかけて後側に向かうにつれて徐々に右側に位置するように、及び前記前胴周りフィット領域の右側端部から前記後胴周りフィット領域の左側端部にかけて後側に向かうにつれて徐々に左側に位置するようにそれぞれ延在し、かつ互いに股間部の幅方向中央部の一つの交点で交差する一対の細長状の斜め交差弾性伸縮部材が、その延在方向に伸長した状態で前記内装体における前記吸収体より裏側に固定されており、
前記一対の斜め交差弾性伸縮部材は、前記交点における前後方向の交差角が４５〜９０度とされるとともに、前記前胴周りフィット領域及び後胴周りフィット領域の間では前記交点から前側及び後側に向かうにつれて前後方向に対する鋭角側交差角がそれぞれ減少するよう延在されており、
前記吸収体における、前記斜め交差弾性伸縮部材の交点と重なる部位に、厚み方向に貫通する貫通部が形成されている、
ことを特徴とするパンツタイプ使い捨ておむつ。
【請求項４】
前身頃及び後身頃を個別又は一体的に構成する外装体と、
前身頃から後身頃にわたるように外装体の幅方向中間部に対して取り付けられた、吸収体を含む内装体とを備え、
前記吸収体は、繊維集合体に高吸収性ポリマーが保持されてなるものであり、
前記前身頃の外装体の両側部と前記後身頃の外装体の両側部とがそれぞれ接合されてサイドシール部が形成されることにより、ウエスト開口及び左右一対の脚開口が形成され、
前記外装体は、前記サイドシール部と対応する前後方向範囲である胴周り領域のうち、少なくとも内装体が固定された内装体固定領域の幅方向両側に、幅方向に弾性伸縮する胴周り伸縮領域を有している、
パンツタイプ使い捨ておむつにおいて；
前記内装体は、前後方向において前記前身頃の前記胴周り伸縮領域及び前記後身頃の前記胴周り伸縮領域とそれぞれ対応する前胴周りフィット領域及び後胴周りフィット領域を有しており、
前記前胴周りフィット領域の左側端部から前記後胴周りフィット領域の右側端部にかけて後側に向かうにつれて徐々に右側に位置するように、及び前記前胴周りフィット領域の右側端部から前記後胴周りフィット領域の左側端部にかけて後側に向かうにつれて徐々に左側に位置するようにそれぞれ延在し、かつ互いに股間部の幅方向中央部の一つの交点で交差する一対の細長状の斜め交差弾性伸縮部材が、その延在方向に伸長した状態で前記内装体における前記吸収体より裏側に固定されており、
前記一対の斜め交差弾性伸縮部材は、前記交点における前後方向の交差角が４５〜９０度とされるとともに、前記前胴周りフィット領域及び後胴周りフィット領域の間では前記交点から前側及び後側に向かうにつれて前後方向に対する鋭角側交差角がそれぞれ減少するよう延在されており、
前記斜め交差弾性伸縮部材は、前胴周りフィット領域の後端部より前側及び前記後胴周りフィット領域の前端部より後側まで延在されるとともに、少なくとも前記前胴周りフィット領域の後端部及び前記後胴周りフィット領域の前端部では前記内装体に固定され、かつ少なくとも前記前胴周りフィット領域の後端部より前側及び前記後胴周りフィット領域の前端部より後側では前記内装体に固定されていない、
ことを特徴とするパンツタイプ使い捨ておむつ。
【請求項５】
前身頃及び後身頃を個別又は一体的に構成する外装体と、
前身頃から後身頃にわたるように外装体の幅方向中間部に対して取り付けられた、吸収体を含む内装体とを備え、
前記吸収体は、繊維集合体に高吸収性ポリマーが保持されてなるものであり、
前記前身頃の外装体の両側部と前記後身頃の外装体の両側部とがそれぞれ接合されてサイドシール部が形成されることにより、ウエスト開口及び左右一対の脚開口が形成され、
前記外装体は、前記サイドシール部と対応する前後方向範囲である胴周り領域のうち、少なくとも内装体が固定された内装体固定領域の幅方向両側に、幅方向に弾性伸縮する胴周り伸縮領域を有している、
パンツタイプ使い捨ておむつにおいて；
前記内装体は、前後方向において前記前身頃の前記胴周り伸縮領域及び前記後身頃の前記胴周り伸縮領域とそれぞれ対応する前胴周りフィット領域及び後胴周りフィット領域を有しており、
前記前胴周りフィット領域の左側端部から前記後胴周りフィット領域の右側端部にかけて後側に向かうにつれて徐々に右側に位置するように、及び前記前胴周りフィット領域の右側端部から前記後胴周りフィット領域の左側端部にかけて後側に向かうにつれて徐々に左側に位置するようにそれぞれ延在し、かつ互いに股間部の幅方向中央部の一つの交点で交差する一対の細長状の斜め交差弾性伸縮部材が、その延在方向に伸長した状態で前記内装体における前記吸収体より裏側に固定されており、
前記一対の斜め交差弾性伸縮部材は、前記交点における前後方向の交差角が４５〜９０度とされるとともに、前記前胴周りフィット領域及び後胴周りフィット領域の間では前記交点から前側及び後側に向かうにつれて前後方向に対する鋭角側交差角がそれぞれ減少するよう延在されており、
前記外装体における前記胴周り伸縮領域が、前記内装体固定領域の幅方向両端部まで延在されるとともに、
前記内装体に対する前記斜め交差弾性伸縮部材の固定部分が、少なくとも前記内装体固定領域の幅方向両端部における前記胴周り伸縮領域と重なる部位まで延在されている、
ことを特徴とするパンツタイプ使い捨ておむつ。
【請求項６】
前身頃及び後身頃を個別又は一体的に構成する外装体と、
前身頃から後身頃にわたるように外装体の幅方向中間部に対して取り付けられた、吸収体を含む内装体とを備え、
前記吸収体は、繊維集合体に高吸収性ポリマーが保持されてなるものであり、
前記前身頃の外装体の両側部と前記後身頃の外装体の両側部とがそれぞれ接合されてサイドシール部が形成されることにより、ウエスト開口及び左右一対の脚開口が形成され、
前記外装体は、前記サイドシール部と対応する前後方向範囲である胴周り領域のうち、少なくとも内装体が固定された内装体固定領域の幅方向両側に、幅方向に弾性伸縮する胴周り伸縮領域を有している、
パンツタイプ使い捨ておむつにおいて；
前記内装体は、前後方向において前記前身頃の前記胴周り伸縮領域及び前記後身頃の前記胴周り伸縮領域とそれぞれ対応する前胴周りフィット領域及び後胴周りフィット領域を有しており、
前記前胴周りフィット領域の左側端部から前記後胴周りフィット領域の右側端部にかけて後側に向かうにつれて徐々に右側に位置するように、及び前記前胴周りフィット領域の右側端部から前記後胴周りフィット領域の左側端部にかけて後側に向かうにつれて徐々に左側に位置するようにそれぞれ延在し、かつ互いに股間部の幅方向中央部の一つの交点で交差する一対の細長状の斜め交差弾性伸縮部材が、その延在方向に伸長した状態で前記内装体における前記吸収体より裏側に固定されており、
前記一対の斜め交差弾性伸縮部材は、前記交点における前後方向の交差角が４５〜９０度とされるとともに、前記前胴周りフィット領域及び後胴周りフィット領域の間では前記交点から前側及び後側に向かうにつれて前後方向に対する鋭角側交差角がそれぞれ減少するよう延在されており、
前記内装体の両側部は前記外装体に内装体非固定領域とされるとともに、これら内装体非固定領域間に前記内装体固定領域が設けられており、
前記斜め交差弾性伸縮部材は、前胴周りフィット領域の後端部より前側及び前記後胴周りフィット領域の前端部より後側まで延在されるとともに、少なくとも前記前胴周りフィット領域の後端部より前側及び前記後胴周りフィット領域の前端部より後側では、前記内装体非固定領域を通り前後方向に延在されている、
ことを特徴とするパンツタイプ使い捨ておむつ。
【発明の詳細な説明】
【技術分野】
【０００１】
本発明は、パンツタイプ使い捨ておむつに関するものである。
【背景技術】
【０００２】
パンツタイプ使い捨ておむつは、前身頃及び後身頃を個別又は一体的に構成する外装体と、前身頃から後身頃にわたるように外装体の内面に対して取り付けられた、吸収体を含む内装体とを備え、前身頃の外装体の両側縁部と後身頃の外装体の両側縁部とが接合されてサイドシール部が形成されることにより、ウエスト開口及び左右一対の脚開口が形成されているものが一般的である。吸収体は、通常は綿状パルプ等からなる繊維集合体に高吸収性ポリマー（ＳＡＰ）を保持させたものが用いられる。
【０００３】
このようなパンツタイプ使い捨ておむつでは、身体へのフィット性を向上させるために、外装体を複数のシート層を有する積層構造とするとともに、そのシート層間に、種々の弾性伸縮部材を伸長状態で取り付けることが行われており、中でも、サイドシール部と対応する前後方向範囲として定まる胴周り領域や、前後の胴周り領域の間に位置するおむつ中間領域に、幅方向に沿う細長状の胴周り弾性伸縮部材が前後方向に間隔を空けてそれぞれ幅方向に伸長された状態で取り付けられている形態は、基本的形態として定着している（例えば特許文献１参照）。
【０００４】
また、脚周りに対するフィット性を確保して、いわゆる横漏れを防止するために、内装体の幅方向両側から立ち上がる立体ギャザーを設けることも定着している。同様に脚周りに対するフィット性を確保するためのものとして、前身頃から後身頃にかけて連続する一体的な外装体に対して、一方のサイドシール部から一方の脚周りに沿って曲線状に股間側に延び、股間部を横断して他方の脚周りに沿って曲線状に他方のサイドシール部まで延びる細長状の脚周り弾性伸縮部材（例えば特許文献１参照）を設けることも広く採用されている。
【０００５】
このように、パンツタイプ使い捨ておむつは、種々の弾性伸縮部材によってフィット性が確保され、その結果として装着感についても少なくとも吸収前の状態では良好な状態が確保されるようになっている。
【０００６】
しかしながら、従来のパンツタイプ使い捨ておむつは、複数回の排尿を吸収したとき等、多量（例えば２００ｃｃ以上）吸収後における股間部のフィット性及び装着感について改善の余地がある。
【０００７】
すなわち、排泄された尿は股間部を中心としてある程度の範囲まで広がりつつ吸収体に吸収される。吸収体における尿の吸収範囲では高吸収性ポリマーが尿の吸収により膨潤してゲル状（ゼリー状）になり、ある程度以上吸収すると、その部分はほぼ高吸収性ポリマーゲルにより形作られる部分（以下、ゲル化部分ともいう）ものとなる。おむつ単独の状態で吸収体の各部に平均的に吸収がなされる状態を静的に考えるならば、多量吸収後であっても吸収体の各部が吸収量に応じて厚みが増加し、全体として膨張するだけで、股間部のフィット性及び装着感は、この吸収体の膨張分の悪化は避けられないとしても、それ以上にはならない。しかし、おむつを人体に装着し、多量の尿を吸収した後、ある程度の時間装着したままにする（乳幼児においてはこのような使用状態が頻繁に起こりうる）と、股間部に尿が集中しやすいことにより股間部が集中的に膨潤してゲル化部分の大きな塊が形成さやすい。また、ゲル化部分は変形及び移動しやすいため、歩行等による脚の動きや自重により股間部に集中して大きな塊となりやすい。そして、いずれにしても、股間部に形成されたゲル化部分の大きな塊は、両脚に挟まれることにより、幅は狭くなるものの極端に下方に長く変形し、その影響でおむつの股間部が狭く下方に突出した形状（垂れ下がり状態）となるのである。このように股間部が大きく垂れ下がった状態では、脚開口位置が幅方向中央側に移動しつつ下降し、立体ギャザーがあるとしてもその付け根位置が幅方向中央側に移動しつつ下降する結果、装着感が悪化するのはもちろんのこと、装着者の脚周りとおむつの間に隙間が発生しやすくなる。しかも、高吸収性ポリマーゲルが重く大きな塊となると形状が元に戻りにくい。
【０００８】
このような股間部の垂れ下がりを解決しそうなものとして、従来、内装体の裏側に前後方向に沿う細長状の引上げ弾性伸縮部材を幅方向に間隔を空けて複数設ける技術（例えば特許文献１〜５参照）が知られている。
【０００９】
しかしながら、前後方向に沿う引上げ弾性伸縮部材は、股間部に作用する収縮力は前後方向成分が主で、幅方向成分が殆ど無いため、装着者の両脚で挟まれることによる股間部の幅方向の圧縮変形に抗する力は殆ど無く、多量吸収後には前述の垂れ下がり状態となりやすい。そして垂れ下がり状態になると、幅方向の収縮力成分が殆ど無いこと、及び重く大きなゲル化部分の塊は形状が元に戻りにくいことにより、押し戻して広げることは殆ど不可能となり、したがって多量吸収後の垂れ下がり防止効果に乏しい。もちろん、前後方向に沿う引上げ弾性伸縮部材を幅方向全体にわたり密に設ければ、ある程度の効果は期待できるかもしれないが、その場合、コストの上昇や、前後方向に沿う溝（皺）が多数形成されることによる見栄えや装着感の悪化は避けられない。
【００１０】
また、収縮力の幅方向成分に着目すると、前述の外装体に設けられる脚周り弾性伸縮部材でもある程度の効果が期待できそうではあるが、外装体の脚周りに沿う部分のように、内装体を有しない部分に作用する収縮力では、ゲル化部分の移動集中や変形を防止する効果や、垂れ下がり状態を元に戻す力が殆どなく、また、脚周り弾性伸縮部材が股間部を幅方向に通過する部分に幅方向の収縮力が作用するとしても、その部分は前後方向の引上げ力が作用しないから結局いずれにせよ、垂れ下がり防止効果は殆ど発揮されない。この点、特許文献１〜５記載のものは、前後方向に沿う弾性伸縮部材を組み合わせているため、いずれか単独の形態よりも垂れ下がり防止効果に優れることは考えられるが、垂れ下がり状態が形成される原理を考慮すると効果的な改善策とはいえず、また弾性伸縮部材の数が多く、複雑な構造となる点でも好ましいものではない。
【先行技術文献】
【特許文献】
【００１１】
【特許文献１】特開２００３−１９１６３号公報
【特許文献２】特開２００７−１８５３２９号公報
【特許文献３】特開２０１１−２０６２１６号公報
【特許文献４】特開２００４−３５０８０９号公報
【特許文献５】特開２００７−０６１３３５号公報
【発明の概要】
【発明が解決しようとする課題】
【００１２】
そこで、本発明の主たる課題は、多量吸収後における股間部の垂れ下がりを効果的に防止し、多量吸収後における股間部のフィット性、装着感、及び見栄えを向上することにある。
【課題を解決するための手段】
【００１３】
上記課題を解決したパンツタイプ使い捨ておむつは次記のとおりである。
＜第１の態様＞
前身頃及び後身頃を個別又は一体的に構成する外装体と、
前身頃から後身頃にわたるように外装体の幅方向中間部に対して取り付けられた、吸収体を含む内装体とを備え、
前記吸収体は、繊維集合体に高吸収性ポリマーが保持されてなるものであり、
前記前身頃の外装体の両側部と前記後身頃の外装体の両側部とがそれぞれ接合されてサイドシール部が形成されることにより、ウエスト開口及び左右一対の脚開口が形成され、
前記外装体は、前記サイドシール部と対応する前後方向範囲である胴周り領域のうち、少なくとも内装体が固定された内装体固定領域の幅方向両側に、幅方向に弾性伸縮する胴周り伸縮領域を有している、
パンツタイプ使い捨ておむつにおいて；
前記内装体は、前後方向において前記前身頃の前記胴周り伸縮領域及び前記後身頃の前記胴周り伸縮領域とそれぞれ対応する前胴周りフィット領域及び後胴周りフィット領域を有しており、
前記前胴周りフィット領域の左側端部から前記後胴周りフィット領域の右側端部にかけて後側に向かうにつれて徐々に右側に位置するように、及び前記前胴周りフィット領域の右側端部から前記後胴周りフィット領域の左側端部にかけて後側に向かうにつれて徐々に左側に位置するようにそれぞれ延在し、かつ互いに股間部の幅方向中央部の一つの交点で交差する一対の細長状の斜め交差弾性伸縮部材が、その延在方向に伸長した状態で前記内装体における前記吸収体より裏側に固定されており、
前記一対の斜め交差弾性伸縮部材は、前記交点における前後方向の交差角が４５〜９０度とされるとともに、前記前胴周りフィット領域及び後胴周りフィット領域の間では前記交点から前側及び後側に向かうにつれて前後方向に対する鋭角側交差角がそれぞれ減少するよう延在されている、
ことを特徴とするパンツタイプ使い捨ておむつ。
【００１４】
（作用効果）
本パンツタイプ使い捨ておむつでは、斜め交差弾性伸縮部材を内装体に設けることを基本とするため、外装体に脚周り弾性伸縮部材を設ける形態と比較して、内装体に内蔵される吸収体に対して直接的に引上げ力が作用し、よって股間部の垂れ下がり防止効果に優れる。そして、斜め交差弾性伸縮部材はほぼＸ字状の交差配置となるとともに、胴周り伸縮領域に実質的に繋がる配置となり、さらに、交点における前後方向の交差角が４５〜９０度とされるとともに、前記前胴周りフィット領域及び後胴周りフィット領域の間では交点から前側及び後側に向かうにつれて前後方向に対する鋭角側交差角がそれぞれ減少するよう延在されると、斜め左上に向かう収縮力及び斜め右上に向かう収縮力が、胴周り伸縮領域によりしっかりと身体に押し付けられた部分を支えとして、吸収体の広範囲にバランス良く作用し、股間部が幅方向に圧縮されにくく、かつ引上げ力も十分に発揮される。この結果、ゲル化部分の移動集中及び垂れ下がり状態への変形が緩和され、多量吸収後における股間部の垂れ下がりを効果的に防止することができ、多量吸収後における股間部のフィット性、及び装着感が向上する。しかも、後述する実施例からも明らかなように、斜め交差弾性伸縮部材の収縮により形成される溝が目立たず、見栄えも良好である。
【００１５】
＜第２の態様＞
前記外装体は、前記脚開口に沿って延在する脚周り弾性伸縮部材を有しないものであり、前記内装体は互いに交差することなく前後方向に沿って延びる引上げ弾性伸縮部材を有しない、第１の態様のパンツタイプ使い捨ておむつ。
【００１６】
（作用効果）
本パンツタイプ使い捨ておむつでは、従来用いられてきたこれらの弾性伸縮部材を設けなくても、股間部の垂れ下がり防止と、良好な見栄えとを十分に両立することができる。
【００１７】
＜第３の態様＞
前記外装体として、前身頃を構成する前側外装体及び後身頃を構成する後側外装体を個別に有し、かつこれら前側外装体及び後側外装体は前後方向に離間されている、第１又は２の態様のパンツタイプ使い捨ておむつ。
【００１８】
（作用効果）
このような外装二分割タイプのものは脚を通すための脚開口を打ち抜かなくて済む、又は打ち抜くとしても小面積で済むといった利点がある。すなわち、切り離し片（以下、トリムともいう）は廃棄処分されるため、その資材ロス（以下、トリムロスともいう）を抑えることができる。このため、ローコストな製品で採用されることが多い。しかしながら、このような外装二分割タイプのものでは、股間部の垂れ下がりが発生しやすく、また、股間部に弾性伸縮部材を設ける場合には外装体に設けることが原理的に不可能でもある。よって、上記パンツタイプ使い捨ておむつはこのような外装二分割タイプに好適である。
【００１９】
＜第４の態様＞
前記吸収体における、前記斜め交差弾性伸縮部材の交点と重なる部位に、厚み方向に貫通する貫通部が形成されている、第１〜３のいずれか１つの態様のパンツタイプ使い捨ておむつ。
【００２０】
（作用効果）
斜め交差弾性伸縮部材の交点は収縮力が集中するため、当該部位において吸収体が崩れやすくなる。よって、予め貫通部を設けておくことにより吸収体の崩れを防止するのは一つの好ましい形態である。
【００２１】
＜第５の態様＞
前記斜め交差弾性伸縮部材は、前胴周りフィット領域の後端部より前側及び前記後胴周りフィット領域の前端部より後側まで延在されるとともに、少なくとも前記前胴周りフィット領域の後端部及び前記後胴周りフィット領域の前端部では前記内装体に固定され、かつ少なくとも前記前胴周りフィット領域の後端部より前側及び前記後胴周りフィット領域の前端部より後側では前記内装体に固定されていない、第１〜４のいずれか１つの態様のパンツタイプ使い捨ておむつ。
【００２２】
（作用効果）
内装体は一般に前後方向が製造ラインのＭＤ方向（機械方向、流れ方向）に沿う姿勢で組み立てられるため、斜め交差弾性伸縮部材は製造時には内装体の前後方向に連続していることが望ましい。しかし、このような製造形態において斜め交差弾性伸縮部材を連続的に内装体固定すると、内装体を有する部分の前後方向全体にわたり収縮力が作用して横方向に沿う皺が発生する。このような横皺は見栄えが悪化するだけでなく、特に胴周り伸縮領域によって股間部よりもしっかりと肌に押し付けられる部分に横皺が発生すると、装着感が悪化する。また、横皺は尿の前後方向の拡散性を阻害し、幅方向の拡散を助長するため、吸収体全体を有効に利用することや、いわゆる横漏れを防止する観点からは好ましいものではない。よって、本項記載のように、斜め交差弾性伸縮部材は前胴周りフィット領域の後端部より前側及び後胴周りフィット領域の前端部より後側では内装体に固定せず、当該範囲に収縮力が作用しないようにして、横皺による諸問題の発生を防止することが望ましい。
【００２３】
＜第６の態様＞
前記外装体における前記胴周り伸縮領域が、前記内装体固定領域の幅方向両端部まで延在されるとともに、
前記内装体に対する前記斜め交差弾性伸縮部材の固定部分が、少なくとも前記内装体固定領域の幅方向両端部における前記胴周り伸縮領域と重なる部位まで延在されている、
第１〜５のいずれか１つの態様のパンツタイプ使い捨ておむつ。
【００２４】
（作用効果）
本項記載のように構成されていると、斜め交差弾性伸縮部材による伸縮部分と胴周り伸縮領域とが連続して一体的な伸縮部分を形成するため、前述の効果がより一層のものとなる。
【００２５】
＜第７の態様＞
前記内装体の両側部は前記外装体に内装体非固定領域とされるとともに、これら内装体非固定領域間に前記内装体固定領域が設けられており、
前記斜め交差弾性伸縮部材は、前胴周りフィット領域の後端部より前側及び前記後胴周りフィット領域の前端部より後側まで延在されるとともに、少なくとも前記前胴周りフィット領域の後端部より前側及び前記後胴周りフィット領域の前端部より後側では、前記内装体非固定領域を通り前後方向に延在されている、
第１〜６のいずれか１つの態様のパンツタイプ使い捨ておむつ。
【００２６】
（作用効果）
このように、内装体の両側部に内装体固定領域を設けずに、前胴周りフィット領域の後端部より前側及び前記後胴周りフィット領域の前端部より後側ではこの内装体非固定領域に斜め交差弾性伸縮部材を通すことにより、斜め交差弾性伸縮部材による収縮力は直接的には内装体にのみ作用し、外装体に作用しなくなるため、外装体への悪影響を防止することができる。特に、この部位において斜め交差弾性伸縮部材による伸縮領域と胴周り伸縮領域とが重なる場合であっても、両者は実質的には繋がった一体的な伸縮部分を形成しつつ、互いに独立的に伸縮することになるため、見栄えや装着感の悪化等を効果的に防止することができる。
【発明の効果】
【００２７】
本発明によれば、多量吸収後における股間部の垂れ下がりを効果的に防止し、多量吸収後における股間部のフィット性、装着感、及び見栄えを向上するようになる、等の利点がもたらされる。
【図面の簡単な説明】
【００２８】
【図１】パンツタイプ使い捨ておむつの内面を示す、おむつを展開した状態における平面図である。
【図２】パンツタイプ使い捨ておむつの外面を示す、おむつを展開した状態における平面図である。
【図３】図１の３−３断面図である。
【図４】図１の４−４断面図である。
【図５】（ａ）図１の５−５断面図、及び（ｂ）図１の６−６断面図である。
【図６】パンツタイプ使い捨ておむつの装着状態を想定した左斜め前からの斜視図である。
【図７】パンツタイプ使い捨ておむつの装着状態を想定した正面斜め下からの斜視図である。
【図８】パンツタイプ使い捨ておむつの外面を示す、おむつを展開した状態における平面図である。
【図９】図１の５−５断面に相当する断面図である。
【図１０】パンツタイプ使い捨ておむつの外面を示す、おむつを展開した状態における平面図である。
【図１１】（ａ）図１の５−５断面に相当する断面図、及び（ｂ）図１の６−６断面に相当する断面図である。図１の５−５断面に相当する断面図である。
【図１２】パンツタイプ使い捨ておむつの外面を示す、おむつを展開した状態における平面図である。
【図１３】パンツタイプ使い捨ておむつの外面を示す、おむつを展開した状態における平面図である。
【図１４】パンツタイプ使い捨ておむつの外面を示す、おむつを展開した状態における平面図である。
【図１５】パンツタイプ使い捨ておむつの外面を示す、おむつを展開した状態における平面図である。
【図１６】パンツタイプ使い捨ておむつの外面を示す、おむつを展開した状態における平面図である。
【図１７】（ａ）実施例１、（ｂ）実施例２の試験結果の写真である。
【図１８】（ａ）比較例１、（ｂ）比較例２、（ｃ）比較例３、及び（ｄ）従来例の試験結果の写真である。
【発明を実施するための形態】
【００２９】
以下、本発明の実施形態について、添付図面を参照しつつ詳説する。
図１〜図８は、パンツタイプ使い捨ておむつの一例１００を示している。断面図における点模様部分はその表側及び裏側に位置する各構成部材を接合する接合手段としての接着剤を示しており、ホットメルト接着剤のベタ、ビード、カーテン、サミット若しくはスパイラル塗布、又はパターンコート（凸版方式でのホットメルト接着剤の転写）などにより、あるいは弾性伸縮部材の固定部分はこれに代えて又はこれとともにコームガンやシュアラップ塗布などの弾性伸縮部材の外周面への塗布により形成されるものである。ホットメルト接着剤としては、例えばＥＶＡ系、粘着ゴム系（エラストマー系）、オレフィン系、ポリエステル・ポリアミド系などの種類のものが存在するが、特に限定無く使用できる。各構成部材を接合する接合手段としてはヒートシールや超音波シール等の素材溶着による手段を用いることもできる。
【００３０】
本形態のパンツタイプ使い捨ておむつ１００は、前身頃Ｆを構成する前側外装体１２Ｆ及び後身頃Ｂを構成する後側外装体１２Ｂと、前側外装体１２Ｆから股間部を経て後側外装体１２Ｂまで延在するように外装体１２Ｆ，１２Ｂの内側に設けられた内装体２００とを備えており、前側外装体１２Ｆの両側部と後側外装体１２Ｂの両側部とが接合されてサイドシール部１２Ａが形成されることにより、外装体１２Ｆ，１２Ｂの前後端部により形成される開口が装着者の胴を通すウエスト開口ＷＯとなり、内装体２００の幅方向両側において外装体１２Ｆ，１２Ｂの下縁及び内装体２００の側縁によりそれぞれ囲まれる部分が脚を通す脚開口ＬＯとなる。内装体２００は、尿等の排泄物等を吸収保持する部分であり、外装体１２は着用者の身体に対して内装体２００を支えるための部分である。また、符号Ｙは展開状態におけるおむつの全長（前身頃Ｆのウエスト開口ＷＯの縁から後身頃Ｂのウエスト開口ＷＯの縁までの前後方向長さ）を示しており、符号Ｘは展開状態におけるおむつの全幅を示している。
【００３１】
また、本形態のパンツタイプ使い捨ておむつ１００は、サイドシール部１２Ａを有する前後方向範囲（ウエスト開口ＷＯから脚開口ＬＯの上端に至る前後方向範囲）として定まる胴周り領域Ｔと、脚開口ＬＯを形成する部分の前後方向範囲（前身頃Ｆのサイドシール部１２Ａを有する前後方向領域と後身頃Ｂのサイドシール部１２Ａを有する前後方向領域との間）として定まるおむつ中間領域Ｌとを有する。胴周り領域Ｔは、概念的にウエスト開口の縁部を形成する「ウエスト部」Ｗと、これよりも下側の部分である「ウエスト下方部」Ｕとに分けることができる。通常、胴周り領域Ｔ内に幅方向伸縮応力が変化する境界（例えば弾性伸縮部材の太さや伸長率が変化する）を有する場合は、最もウエスト開口ＷＯ側の境界よりもウエスト開口ＷＯ側がウエスト部Ｗとなり、このような境界が無い場合は吸収体５６又は内装体２００よりもウエスト開口ＷＯ側がウエスト部Ｗとなる。これらの前後方向の長さは、製品のサイズによって異なり、適宜定めることができるが、一例を挙げると、ウエスト部Ｗは１５〜４０ｍｍ、ウエスト下方部Ｕは６５〜１２０ｍｍとすることができる。一方、おむつ中間領域Ｌの両側縁は被着者の脚周りに沿うようにコ字状又は曲線状に括れており、ここが装着者の脚を入れる部位となる。この結果、展開状態のパンツタイプ使い捨ておむつは、全体として略砂時計形状をなしている。
【００３２】
（内装体）
内装体２００は任意の形状を採ることができるが、図示の形態では長方形である。内装体２００は、図３〜図５に示されるように、身体側となるトップシート３０と、液不透過性シート１１と、これらの間に介在された吸収要素５０とを備えているものであり、吸収機能を担う本体部である。符号４０は、トップシート３０を透過した液を速やかに吸収要素５０へ移行させるために、トップシート３０と吸収要素５０との間に設けられた中間シート（セカンドシート）を示しており、符号６０は、内装体２００の両脇に排泄物が漏れるのを防止するために、内装体２００の幅方向両側から立ち上がる立体ギャザー６０を示している。
【００３３】
（内装体固定領域）
内装体２００の外装体１２Ｆ，１２Ｂに対する固定は、ヒートシール、超音波シールのような素材溶着による接合手段や、ホットメルト接着剤により行うことができる。図示形態では、内装体２００の裏面、つまりこの場合は液不透過性シート１１の裏面及び立体ギャザー６０の取付部分６５に塗布されたホットメルト接着剤により外装体１２の内面に対して固定されている。この内装体２００と外装体１２Ｆ，１２Ｂとを固定する内装体固定領域２０１は、両者が重なる領域のほぼ全体に設けることができ、通常は内装体２００の幅方向両端部を除いた部分に設け、内装体２００の両側部は外装体１２に非固定の内装体非固定領域２０２とすることが好ましい。
【００３４】
（トップシート）
トップシート３０は、液を透過する性質を有するものであり、例えば、有孔又は無孔の不織布や、多孔性プラスチックシートなどを例示することができる。また、このうち不織布は、その原料繊維が何であるかは、特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。例えば、柔軟性、ドレープ性を求めるのであれば、スパンボンド法、スパンレース法が、嵩高性、ソフト性を求めるのであれば、エアスルー法、ポイントボンド法、サーマルボンド法が、好ましい加工方法となる。
【００３５】
また、トップシート３０は、１枚のシートからなるものであっても、２枚以上のシートを貼り合せて得た積層シートからなるものであってもよい。同様に、トップシート３０は、平面方向に関して、１枚のシートからなるものであっても、２枚以上のシートからなるものであってもよい。
【００３６】
立体ギャザー６０を設ける場合、トップシート３０の両側部は、液不透過性シート１１と立体ギャザー６０との間を通して、吸収要素５０の裏側まで回り込ませ、液の浸透を防止するために、液不透過性シート１１及び立体ギャザー６０に対して接合するのが好ましい。
【００３７】
トップシート３０は、裏側部材に対する位置ずれを防止する等の目的で、ヒートシール、超音波シールのような素材溶着による接合手段や、ホットメルト接着剤により裏側に隣接する部材に固定することが望ましい。図示形態では、トップシート３０はその裏面に塗布されたホットメルト接着剤により中間シート４０の表面及び包装シート５８のうち吸収体５６の表側に位置する部分の表面に固定されている。
【００３８】
（中間シート）
トップシート３０を透過した液を速やかに吸収体へ移行させるために、トップシート３０より液の透過速度が速い、中間シート（「セカンドシート」とも呼ばれている）４０を設けることができる。この中間シート４０は、液を速やかに吸収体へ移行させて吸収体による吸収性能を高めるばかりでなく、吸収した液の吸収体からの「逆戻り」現象を防止し、トップシート３０上を常に乾燥した状態とすることができる。中間シート４０は省略することもできる。
【００３９】
中間シート４０としては、トップシート３０と同様の素材や、スパンレース、スパンボンド、ＳＭＳ、パルプ不織布、パルプとレーヨンとの混合シート、ポイントボンド又はクレープ紙を例示できる。特にエアスルー不織布が嵩高であるため好ましい。エアスルー不織布には芯鞘構造の複合繊維を用いるのが好ましく、この場合芯に用いる樹脂はポリプロピレン（ＰＰ）でも良いが剛性の高いポリエステル（ＰＥＴ）が好ましい。目付けは２０〜８０ｇ／ｍ2が好ましく、２５〜６０ｇ／ｍ2がより好ましい。不織布の原料繊維の太さは２．０〜１０ｄｔｅｘであるのが好ましい。不織布を嵩高にするために、原料繊維の全部又は一部の混合繊維として、芯が中央にない偏芯の繊維や中空の繊維、偏芯かつ中空の繊維を用いるのも好ましい。
【００４０】
図示の形態の中間シート４０は、吸収体５６の幅より短く中央に配置されているが、全幅にわたって設けてもよい。中間シート４０の長手方向長さは、吸収体５６の長さと同一でもよいし、液を受け入れる領域を中心にした短い長さ範囲内であってもよい。
【００４１】
中間シート４０は、裏側部材に対する位置ずれを防止する等の目的で、ヒートシール、超音波シールのような素材溶着による接合手段や、ホットメルト接着剤により裏側に隣接する部材に固定することが望ましい。図示形態では、中間シート４０はその裏面に塗布されたホットメルト接着剤により包装シート５８のうち吸収体５６の表側に位置する部分の表面に固定されている。
【００４２】
（液不透過性シート）
液不透過性シート１１の素材は、特に限定されるものではないが、例えば、ポリエチレンやポリプロピレン等のオレフィン系樹脂等からなるプラスチックフィルムや、不織布の表面にプラスチックフィルムを設けたラミネート不織布、プラスチックフィルムに不織布等を重ねて接合した積層シートなどを例示することができる。液不透過性シート１１には、ムレ防止の観点から好まれて使用されている不透液性かつ透湿性を有する素材を用いることが好ましい。透湿性を有するプラスチックフィルムとしては、ポリエチレンやポリプロピレン等のオレフィン系樹脂中に無機充填剤を混練して、シートを成形した後、一軸又は二軸方向に延伸して得られた微多孔性プラスチックフィルムが広く用いられている。この他にも、マイクロデニール繊維を用いた不織布、熱や圧力をかけることで繊維の空隙を小さくすることによる防漏性強化、高吸水性樹脂又は疎水性樹脂や撥水剤の塗工といった方法により、プラスチックフィルムを用いずに液不透過性としたシートも、液不透過性シート１１として用いることができる。
【００４３】
液不透過性シート１１は、図示のように吸収要素５０の裏側に収まる幅とする他、防漏性を高めるために、吸収要素５０の両側を回り込ませて吸収要素５０のトップシート３０側面の両側部まで延在させることもできる。この延在部の幅は、左右それぞれ５〜２０ｍｍ程度が適当である。
【００４４】
また、液不透過性シート１１の内側、特に吸収体５６側面に、液分の吸収により色が変化する排泄インジケータを設けることができる。
【００４５】
（立体ギャザー）
立体ギャザー６０は、内装体の前後端部間において幅方向両側から立ち上がる部分を有するものであり、トップシート３０上を伝わって横方向に移動する排泄物を遮断し、横漏れを防止するために設けられているものである。本実施の形態の立体ギャザー６０は、内装体２００の側部から立ち上がるように設けられ、付け根側の部分は幅方向中央側に向かって斜めに起立し、中間部より先端側の部分は幅方向外側に向かって斜めに起立するものである。
【００４６】
より詳細には、立体ギャザー６０は、内装体２００の前後方向長さに等しい長さを有する帯状のギャザーシート６２を幅方向に折り返して二つに折り重ねるとともに、折り返し部分及びその近傍のシート間に、細長状のギャザー弾性伸縮部材６３を長手方向に沿って伸長状態で、幅方向に間隔をあけて複数本固定してなるものである。立体ギャザー６０のうち先端部と反対側に位置する基端部（幅方向においてシート折り返し部分と反対側の端部）は内装体２００の側縁部の裏面に固定された取付部分６５とされ、この取付部分６５以外の部分は取付部分６５から突出する突出部分６６（折り返し部分側の部分）とされている。また、突出部分６６は、幅方向中央側に向かう付け根側部分と、この付け根側部分の先端から幅方向外側に折り返された先端側部分とからなる。この形態は面接触タイプの立体ギャザーであるが、幅方向外側に折り返されない線接触タイプの立体ギャザー（図示略）も採用することができる。そして、突出部分６６のうち前後方向両端部が倒伏状態でトップシート３０の側部表面に対して固定された前後固定部６７とされる一方で、これらの間に位置する前後方向中間部は非固定の自由部分６８とされ、この自由部分６８に前後方向に沿うギャザー弾性伸縮部材６３が伸長状態で固定されている。
【００４７】
立体ギャザー６０の自由部分６８では、ギャザーシート６２の内側層及び外側層の貼り合わせや、その間に挟まれるギャザー弾性伸縮部材６３の固定に、種々の塗布方法によるホットメルト接着剤及びヒートシールや超音波シール等の素材溶着による固定手段の少なくとも一方を用いることができる。ギャザーシート６２の内側層及び外側層の全面を貼り合わせると柔軟性を損ねるため、ギャザー弾性伸縮部材６３の接着部以外の部分は接着しないか弱く接着するのが好ましい。図示形態では、コームガンやシュアラップノズル等の塗布手段によりギャザー弾性伸縮部材６３の外周面にのみホットメルト接着剤を塗布してギャザーシート６２の内側層及び外側層間に挟むことにより、当該ギャザー弾性伸縮部材６３の外周面に塗布したホットメルト接着剤のみで、ギャザーシート６２の内側層及び外側層への細長状弾性伸縮部材の固定と、ギャザーシート６２の内側層及び外側層間の固定とを行う構造となっている。
【００４８】
また、立体ギャザー６０に組み込まれる防水フィルム６４とギャザーシート６２との固定や、前後固定部６７の内装体２００の側部表面への固定に、種々の塗布方法によるホットメルト接着剤、及びヒートシールや超音波シール等の素材溶着による手段の少なくとも一方を用いることができる。図示形態では、防水フィルム６４の固定にホットメルト接着剤のスロット塗布を使用している。また、図示形態の前後固定部６７の固定には、ホットメルト接着剤と素材溶着による手段を組み合わせているが、いずれか一方の手段のみで、これらの固定を行うこともできる。
【００４９】
ギャザーシート６２としてはスパンボンド不織布（ＳＳ、ＳＳＳ等）やＳＭＳ不織布（ＳＭＳ、ＳＳＭＭＳ等）、メルトブロー不織布等の柔軟で均一性・隠蔽性に優れた不織布に、必要に応じてシリコーンなどにより撥水処理を施したものを好適に用いることができ、繊維目付けは１０〜３０ｇ／ｍ2程度とするのが好ましい。細長状弾性伸縮部材６３としては糸ゴム等を用いることができる。スパンデックス糸ゴムを用いる場合は、太さは４７０〜１２４０ｄｔｅｘが好ましく、６２０〜９４０ｄｔｅｘがより好ましい。固定時の伸長率は、１５０〜３５０％が好ましく、２００〜３００％がより好ましい。なお、用語「伸長率」は自然長を１００％としたときの値を意味する。また、図示のように、二つに折り重ねたギャザーシートの間に防水フィルム６４を介在させることもできる。
【００５０】
立体ギャザー６０の自由部分に設けられる細長状弾性伸縮部材６３の本数は２〜６本が好ましく、３〜５本がより好ましい。配置間隔６０ｄは３〜１０ｍｍが適当である。このように構成すると、細長状弾性伸縮部材６３を配置した範囲で肌に対して面で当たりやすくなる。先端側だけでなく付け根側にも細長状弾性伸縮部材６３を配置しても良い。
【００５１】
立体ギャザー６０の取付部分６５の固定対象は、内装体２００におけるトップシート３０、液不透過性シート１１、吸収要素５０等適宜の部材とすることができる。
【００５２】
かくして構成された立体ギャザー６０では、細長状弾性伸縮部材６３の収縮力が前後方向両端部を近づけるように作用するが、突出部分６６のうち前後方向両端部が起立しないように固定されるのに対して、それらの間は非固定の自由部分とされているため、自由部分のみが図３に示すように身体側に当接するように起立する。特に、取付部分６５が内装体２００の裏面側に位置していると、股間部及びその近傍において立体ギャザー６０が幅方向外側に開くように起立するため、立体ギャザー６０が脚周りに面で当接するようになり、フィット性が向上するようになる。
【００５３】
立体ギャザー６０の寸法は適宜定めることができるが、乳幼児用紙おむつの場合は、例えば図３に示すように、立体ギャザー６０の起立高さ（展開状態における突出部分６６の幅方向長さ）Ｗ６は１５〜６０ｍｍ、特に２０〜４０ｍｍであるのが好ましい。また、立体ギャザー６０をトップシート３０表面と平行になるように、平坦に折り畳んだ状態において最も内側に位置する折り目間の離間距離Ｗ３は６０〜１９０ｍｍ、特に７０〜１４０ｍｍであるのが好ましい。
【００５４】
なお、図示形態と異なり、内装体２００の左右各側において立体ギャザーを二重に（二列）設けることもできる。
【００５５】
（吸収要素）
吸収要素５０は、吸収体５６と、この吸収体５６の全体を包む包装シート５８とを有する。包装シート５８は省略することもできる。
【００５６】
（吸収体）
吸収体５６は、繊維の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。繊維目付けとしては、綿状パルプや短繊維を積繊する場合は、例えば１００〜３００ｇ／ｍ2程度とすることができ、フィラメント集合体の場合は、例えば３０〜１２０ｇ／ｍ2程度とすることができる。合成繊維の場合の繊度は、例えば、１〜１６ｄｔｅｘ、好ましくは１〜１０ｄｔｅｘ、さらに好ましくは１〜５ｄｔｅｘである。フィラメント集合体の場合、フィラメントは、非捲縮繊維であってもよいが、捲縮繊維であるのが好ましい。捲縮繊維の捲縮度は、例えば、２．５４ｃｍ当たり５〜７５個、好ましくは１０〜５０個、さらに好ましくは１５〜５０個程度とすることができる。また、均一に捲縮した捲縮繊維を用いる場合が多い。吸収体５６中には高吸収性ポリマー粒子を分散保持させるのが好ましい。
【００５７】
吸収体５６は長方形形状でも良いが、図１及び図２に示すように、股間部に幅の狭い括れ部を有する砂時計形状を成していると、吸収体５６自体と立体ギャザー６０の、脚周りへのフィット性が向上するため好ましい。
【００５８】
また、吸収体５６の寸法は股間部をカバーするように設けられる限り適宜定めることができるが、前後方向及び幅方向において、内装体の周縁部又はその近傍まで延在しているのが好ましい。なお、符号５６Ｘは吸収体５６の全幅を、また符号５６Ｙは吸収体５６の全長を示している。
【００５９】
（高吸収性ポリマー粒子）
吸収体５６には、繊維集合体に高吸収性ポリマーを保持させたものを用いる。一般的な吸収体では、高吸収性ポリマー粒子が移動可能なように繊維集合体の繊維間隙内に保持されているが、固着されていても良い。高吸収性ポリマー粒子とは、「粒子」以外に「粉体」も含む。高吸収性ポリマー粒子５４としては、この種の使い捨ておむつに使用されるものをそのまま使用でき、例えば５００μｍの標準ふるい（ＪＩＳ Ｚ８８０１−１：２００６）を用いたふるい分け（５分間の振とう）でふるい上に残る粒子の割合が３０重量％以下のものが望ましく、また、１８０μｍの標準ふるい（ＪＩＳ Ｚ８８０１−１：２００６）を用いたふるい分け（５分間の振とう）でふるい上に残る粒子の割合が６０重量％以上のものが望ましい。
【００６０】
高吸収性ポリマー粒子の材料としては、特に限定無く用いることができるが、吸水量が４０ｇ／ｇ以上のものが好適である。高吸収性ポリマー粒子としては、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などのものを用いることができる。高吸収性ポリマー粒子の形状としては、通常用いられる粉粒体状のものが好適であるが、他の形状のものも用いることができる。
【００６１】
高吸収性ポリマー粒子としては、吸水速度が７０秒以下、特に４０秒以下のものが好適に用いられる。吸水速度が遅すぎると、吸収体５６内に供給された液が吸収体５６外に戻り出てしまう所謂逆戻りを発生し易くなる。
【００６２】
また、高吸収性ポリマー粒子としては、ゲル強度が１０００Ｐａ以上のものが好適に用いられる。これにより、嵩高な吸収体５６とした場合であっても、液吸収後のべとつき感を効果的に抑制できる。
【００６３】
高吸収性ポリマー粒子の目付け量は、当該吸収体５６の用途で要求される吸収量に応じて適宜定めることができる。したがって一概には言えないが、５０〜３５０ｇ／ｍ2とすることができる。ポリマーの目付け量が５０ｇ／ｍ2未満では、吸収量を確保し難くなる。３５０ｇ／ｍ2を超えると、効果が飽和する。
【００６４】
必要であれば、高吸収性ポリマー粒子は、吸収体５６の平面方向で分布密度あるいは分布量を調整できる。例えば、液の排泄部位を他の部位より分布量を多くすることができる。男女差を考慮する場合、男用は前側の分布密度（量）を高め、女用は中央部の分布密度（量）を高めることができる。また、吸収体５６の平面方向において局所的（例えばスポット状）にポリマーが存在しない部分を設けることもできる。
【００６５】
（包装シート）
包装シート５８を用いる場合、その素材としては、ティッシュペーパ、特にクレープ紙、不織布、ポリラミ不織布、小孔が開いたシート等を用いることができる。ただし、高吸収性ポリマー粒子が抜け出ないシートであるのが望ましい。クレープ紙に換えて不織布を使用する場合、親水性のＳＭＳ不織布（ＳＭＳ、ＳＳＭＭＳ等）が特に好適であり、その材質はポリプロピレン、ポリエチレン／ポリプロピレン複合材などを使用できる。目付けは、５〜４０ｇ／ｍ2、特に１０〜３０ｇ／ｍ2のものが望ましい。
【００６６】
包装シート５８の包装形態は適宜定めることができるが、製造容易性や前後端縁からの高吸収性ポリマー粒子の漏れ防止等の観点から、吸収体５６の表裏面及び両側面を取り囲むように筒状に巻き付け、且つその前後縁部を吸収体５６の前後からはみ出させ、巻き重なる部分及び前後はみ出し部分の重なり部分をホットメルト接着剤、素材溶着等の接合手段により接合する形態が好ましい。
【００６７】
（外装体）
外装体１２Ｆ，１２Ｂは、前身頃Ｆを構成する部分である前側外装体１２Ｆと、後身頃Ｂを構成する部分である後側外装体１２Ｂとからなり、前側外装体１２Ｆ及び後側外装体１２Ｂは股間側で連続しておらず、前後方向に離間されている。この離間距離１２ｄは１５０〜２５０ｍｍ程度とすることができる。この離間部分における内装体２００の裏面の露出部分の一部（例えば前側外装体１２Ｆと後側外装体１２Ｂとの間に露出する部分の前後方向全体にわたるが、内装体２００の前後端まで延びず、また幅方向両側縁も内装体２００の両側縁までは達しない程度）又は全体を覆うように、不織布等からなる股間部カバーシート１２Ｍを貼り付けることが望ましいが、省略することもできる。
【００６８】
外装体１２Ｆ，１２Ｂは、胴周り領域Ｔと対応する前後方向範囲である胴周り部を有する。また、本形態では、前側外装体１２Ｆにはおむつ中間領域Ｌと対応する部分を有していないが、後側外装体１２Ｂは胴周り領域Ｔからおむつ中間領域Ｌ側に延び出る臀部カバー部１４を有している。図示しないが、前側外装体１２Ｆにも胴周り領域Ｔからおむつ中間領域Ｌ側に延び出る鼠蹊カバー部を設けたり、鼠径カバー部は設けるものの臀部カバー部は設けない形態としたり、前側外装体１２Ｆ及び後側外装体１２Ｂの両方におむつ中間領域Ｌと対応する部分を設けなくても良い。また、図示形態では、臀部カバー部１４の下縁は、前側外装体１２Ｆの下縁と同様、幅方向に沿う直線状に形成しているが、幅方向外側に向かうにつれてウエスト開口側に位置するようになる曲線とすることもできる。
【００６９】
外装体１２Ｆ，１２Ｂは、図３〜図５に示されるように、外側シート層１２Ｓ及び内側シート層１２Ｈをホットメルト接着剤や溶着等の接合手段により接合して形成されたものである。外側シート層１２Ｓを形成するシート材及び内側シート層１２Ｈを形成するシート材は、図５及び図１１に示す形態のように個別のシート材とする他、図９に示す形態のように共通の一枚のシート材とすることもできる。すなわち、後者の場合、股間側の縁で折り返された一枚のシート材の内側の部分及び外側の部分により内側シート層１２Ｈ及び外側シート層１２Ｓがそれぞれ形成される。なお、前者の形態では、シート材の折り返し工程が少ないため、内側シート層１２Ｈ及び外側シート層１２Ｓを貼り合わせる際にずれにくいという利点があり、後者の形態ではシート材の資材数が少ないという利点がある。
【００７０】
外側シート層１２Ｓ及び内側シート層１２Ｈを形成するシート材の端部や内装体２００の前後端をウエスト開口ＷＯに露出させると、シート材の角が肌に当たり肌触りが悪化するおそれや、後述するウエスト部弾性伸縮部材１７やこれを固定するためのホットメルト接着剤が露出するおそれがある。よって、図５、図９、図１１に示す形態のように、外側シート層１２Ｓを形成するシート材を、内側シート層１２Ｈを形成するシート材のウエスト側の縁を回り込んでその内側に折り返してウエスト側折り返し部分を形成し、このウエスト側折り返し部分１２ｒを内装体２００のウエスト側の端部上まで延在させるのは好ましい。図示しないが、外側シート層１２Ｓを形成するシート材及び内側シート層１２Ｈを形成するシート材の両方を、ウエスト側の縁で内側に折り返し、この折り返し部分１２ｒを内装体２００のウエスト側の端部上まで延在させても良い。
【００７１】
外側シート層１２Ｓ及び内側シート層１２Ｈに用いるシート材としては、熱可塑性樹脂の不織布であれば特に限定無く使用でき、例えば、ポリエチレンやポリプロピレン等のオレフィン系、ポリエステル系、ポリアミド系等の合成繊維や、これらから二種以上が使用された混合繊維、複合繊維などを使用することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。不織布を用いる場合、その目付けは１０〜３０ｇ／ｍ2程度とするのが好ましい。
【００７２】
また、外装体１２Ｆ，１２Ｂの総目付けは２０〜６０ｇ／ｍ2程度であるのが好ましい。
【００７３】
そして、外装体１２Ｆ，１２Ｂには、装着者の胴周りに対するフィット性を高めるために、胴周り領域Ｔに、外側シート層１２Ｓ及び内側シート層１２Ｈ間に糸ゴム等の細長状弾性伸縮部材１５〜１９が幅方向に所定の伸長率で固定されて、幅方向に弾性伸縮する胴周り伸縮領域１２Ｘ（細長状弾性伸縮部材１５〜１９を有する領域）が形成されている。細長状弾性伸縮部材１５〜１９としては、合成ゴムを用いても、天然ゴムを用いても良い。外装体１２Ｆ，１２Ｂにおける外側シート層１２Ｓ及び内側シート層１２Ｈの貼り合わせや、その間に挟まれる細長状弾性伸縮部材１５〜１９の固定には、種々の塗布方法によるホットメルト接着剤及びヒートシールや超音波シール等の素材溶着による固定手段の少なくとも一方を用いることができる。外装体１２Ｆ，１２Ｂ全面を強固に固定すると柔軟性を損ねるため、細長状弾性伸縮部材１５〜１９の接着部以外の部分は接着しないか弱く接着するのが好ましい。図示形態では、コームガンやシュアラップノズル等の塗布手段により細長状弾性伸縮部材１５〜１９の外周面にのみホットメルト接着剤を塗布して両シート層１２Ｓ，１２Ｈ間に挟むことにより、当該細長状弾性伸縮部材１５〜１９の外周面に塗布したホットメルト接着剤のみで、両シート層１２Ｓ，１２Ｈへの細長状弾性伸縮部材１５〜１９の固定と、両シート層１２Ｓ，１２Ｈ間の固定とを行う構造となっている。
【００７４】
より詳細には、外装体１２Ｆ，１２Ｂのウエスト部Ｗにおける外側シート層１２Ｓ及び内側シート層１２Ｈ間には、幅方向全体にわたり連続するように、複数のウエスト部弾性伸縮部材１７が上下方向に間隔を空けて、かつ所定の伸長率で幅方向に沿って伸長された状態で固定されている。また、ウエスト部弾性伸縮部材１７のうち、ウエスト下方部Ｕに隣接する領域に配設される１本又は複数本については、内装体２００と重なっていてもよいし、内装体２００と重なる幅方向中央部を除いてその幅方向両側にそれぞれ設けてもよい。このウエスト部弾性伸縮部材１７としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、４〜１２ｍｍの間隔で３〜２２本程度、それぞれ伸長率１５０〜４００％、特に２２０〜３２０％程度で固定するのが好ましい。また、ウエスト部弾性伸縮部材１７は、その全てを同じ太さと伸長率にする必要はなく、例えばウエスト部Ｗの上部と下部で弾性伸縮部材の太さと伸長率が異なるようにしてもよい。
【００７５】
また、外装体１２Ｆ，１２Ｂのウエスト下方部Ｕにおける外側シート層１２Ｓ及び内側シート層１２Ｈ間には、細長状弾性伸縮部材からなるウエスト下方部弾性伸縮部材１５，１９が複数本、上下方向に間隔を空けて、かつ所定の伸長率で幅方向に沿って伸長された状態で固定されている。
【００７６】
ウエスト下方部弾性伸縮部材１５，１９としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、１〜１５ｍｍ、特に３〜８ｍｍの間隔で５〜３０本程度、それぞれ伸長率２００〜３５０％、特に２４０〜３００％程度で固定するのが好ましい。
【００７７】
また、後側外装体１２Ｂの臀部カバー部１４における外側シート層１２Ｓ及び内側シート層１２Ｈ間には、細長状弾性伸縮部材からなるカバー部弾性伸縮部材１６が複数本、上下方向に間隔を空けて、かつ所定の伸長率で幅方向に沿って伸長された状態で固定されている。
【００７８】
カバー部弾性伸縮部材１６としては、太さ１５５〜１８８０ｄｔｅｘ、特に４７０〜１２４０ｄｔｅｘ程度（合成ゴムの場合。天然ゴムの場合には断面積０．０５〜１．５ｍｍ2、特に０．１〜１．０ｍｍ2程度）の糸ゴムを、５〜４０ｍｍ、特に５〜２０ｍｍの間隔で２〜１０本程度、それぞれ伸長率１５０〜３００％、特に１８０〜２６０％で固定するのが好ましい。
【００７９】
前側外装体１２Ｆに鼠径カバー部を設ける場合には同様にカバー部弾性伸縮部材を設けることができる。
【００８０】
（表示シート）
前側外装体１２Ｆ及び後側外装体１２Ｂの少なくとも一方における非伸縮領域Ａ１と重なる位置に、キャラクター等の表示を有する表示シート２５を介在させることができる。表示シート２５を介在させる位置は、表示シート２５の表示が透けて見える限り特に限定されず、図示形態のように、外側シート層１２Ｓの内側に隣接して配置する他、内側シート層１２Ｈの外側に隣接して配置することもでき、また外装体１２と内装体２００との間に介在させたり、内装体２００内に設けたりすることも可能である。
【００８１】
表示シート２５に付加される表示は特に限定されず、装飾のための模様（絵やワンポイントのキャラクター含む）、使用方法や使用補助、サイズ等の機能表示、あるいは製造者や製品名、特徴的機能等の標章表示等の表示を、印刷等により付加することができる。
【００８２】
（非伸縮領域）
図示形態のウエスト下方部Ｕや臀部カバー部１４のように、吸収体５６を有する前後方向範囲に弾性伸縮部材１５，１６，１９を設ける場合には、その一部又は全部において吸収体５６の幅方向の収縮を防止するために、吸収体５６と幅方向に重なる部分の一部又は全部を含む幅方向中間（好ましくは内装体固定領域２０１の全体を含む）は非伸縮領域Ａ１とし、その幅方向両側が幅方向全体にわたり伸縮領域Ａ２とするのが好ましい。図示しないが、吸収体５６を有する前後方向範囲に設ける弾性伸縮部材１５，１６，１９の一部又は全部を幅方向に連続させ、当該連続する部分には幅方向全体を伸縮領域とし、非伸縮領域を設けない形態とすることもできる。
【００８３】
伸縮領域Ａ２及び非伸縮領域Ａ１は、内側シート層１２Ｈと外側シート層１２Ｓとの間に、弾性伸縮部材１５〜１７，１９を供給し、弾性伸縮部材１５，１６，１９を伸縮領域Ａ２に位置する部分のみホットメルト接着剤により固定した後、非伸縮領域Ａ１とする領域において、弾性伸縮部材１５，１６，１９を幅方向中間の１か所で加圧及び加熱により切断するか、又は弾性伸縮部材１５，１６，１９のほぼ全体を加圧及び加熱により細かく切断し、伸縮領域Ａ２に伸縮性を残しつつ非伸縮領域Ａ１では伸縮性を殺すことにより構築することができる。前者の場合、伸縮領域Ａ２の弾性伸縮部材１５，１６，１９から連続する切断残部のみが不要弾性伸縮部材１８として残ることになり、後者の場合、伸縮領域Ａ２の弾性伸縮部材１５，１６，１９から連続する切断残部、及び両方の伸縮領域Ａ２の弾性伸縮部材１５，１６，１９と連続しない多数の弾性伸縮部材の切断片が不要弾性伸縮部材１８として残ることになる。もちろん、伸縮領域Ａ２にのみ弾性伸縮部材を設けることも可能である。
【００８４】
（斜め交差弾性伸縮部材）
特徴的には、内装体２００は、前後方向において前身頃Ｆの胴周り伸縮領域１２Ｘ及び後身頃Ｂの胴周り伸縮領域１２Ｘとそれぞれ対応する前胴周りフィット領域２１０及び後胴周りフィット領域２１１を有している。そして、内装体２００における吸収体５６より裏側に、前胴周りフィット領域２１０の左側端部から後胴周りフィット領域２１１の右側端部にかけて後側に向かうにつれて徐々に右側に位置するように、及び前胴周りフィット領域２１０の右側端部から後胴周りフィット領域２１１の左側端部にかけて後側に向かうにつれて徐々に左側に位置するようにそれぞれ延在し、かつ互いに股間部の幅方向中央部の一つの交点で交差する一対の細長状の斜め交差弾性伸縮部材７０が、その延在方向に伸長した状態で固定されている。また、これら斜め交差弾性伸縮部材７０は、交点における前後方向の交差角βが４５〜９０度（好ましくは６０〜８０度）とされるとともに、前胴周りフィット領域２１０及び後胴周りフィット領域２１１の間では交点から前側及び後側に向かうにつれて前後方向に対する鋭角側交差角αがそれぞれ減少（つまり、交差角βの１／２の角度から次第に減少）するよう延在されている。鋭角側交差角αは、斜め交差弾性伸縮部材７０が上記のように配置される限り特に限定されないが、最小値は０（図示形態）〜２５度、特に０〜１０度とすることが好ましい、なお。これらの角度は、斜め交差弾性伸縮部材７０が曲線状をなす場合には接線のなす角度を意味する。角度の測定に際しては、パンツタイプ使い捨ておむつのサイドシール部１２Ａを左右ともに剥がし、外装体１２Ｆ，１２Ｂの弾性伸縮部材１５〜１９により収縮する部分を切除し、内装体２００における左右の立体ギャザー６０を切除した後、トップシート３０が下向きになるように平坦な台上に置き、自然長の状態で、必要に応じて測定対象の角の頂点を通る前後方向補助線や接線を油性ペンで引き、分度器を用いて目視で測定する。
【００８５】
斜め交差弾性伸縮部材７０としては、太さ３１０〜９４０ｄｔｅｘ、特に４７０〜６２０ｄｔｅｘ程度（合成ゴムの場合。天然ゴムの場合には断面積０．０５〜１．５ｍｍ2、特に０．１〜１．０ｍｍ2程度）の糸ゴムを、一方の斜め方向に対して１〜４本、特に１〜２本、それぞれ伸長率２００〜３００％、特に２５０〜３００％で固定するのが好ましい。複数本設ける場合は、束ねて設けるのではなく、１〜１５ｍｍ、特に５〜１０ｍｍの間隔を空けて設けるのが好ましい。
【００８６】
斜め交差弾性伸縮部材７０は内装体２００における吸収体５６より裏側に、その延在方向に伸長した状態で固定される限り、その厚み方向の位置は特に限定されず、吸収体５６及び包装シート５８の間、包装シート５８及び液不透過性シート１１の間、液不透過性シート１１及び股間部カバーシート１２Ｍの間、または図示しないが液不透過性シート１１の裏側に積層される複数のシートの間等、吸収体５６よりも裏側に複数積層されたシート間に配することができる。また、斜め交差弾性伸縮部材７０の固定も特に限定されないが、斜め交差弾性伸縮部材７０は斜め方向に取り付ける必要があるため、図示形態のように、斜め交差弾性伸縮部材７０の表裏両側のシート１１，１２Ｍを接合するために少なくとも一方側のシートに塗布されるホットメルト接着剤１２Ｇにより固定することが好ましい。
【００８７】
斜め交差弾性伸縮部材７０における交点から斜めに延びる部分は、図示形態のように幅方向外側に膨らむような曲線状とするのが好ましいが、直線状とすることもできる。
【００８８】
斜め交差弾性伸縮部材７０の交点は股間部に位置していればよいが、前後方向において男性排尿位置から女性排尿位置までの間の位置、つまり前後方向中央より若干前側の位置とするのが好ましい。また、この斜め交差弾性伸縮部材７０の交点は、吸収体５６の括れ部の前後方向範囲内に位置するとより好ましい。一方、斜め交差弾性伸縮部材７０の前胴周りフィット領域２１０の左右端部は吸収体５６の括れ部の前側に位置し、斜め交差弾性伸縮部材７０の後胴周りフィット領域２１１の左右端部は吸収体５６の括れ部の後側に位置しているのが好ましい。
【００８９】
以上のように構成されたパンツタイプ使い捨ておむつでは、斜め交差弾性伸縮部材７０を内装体２００に設けることを基本とするため、外装体１２に脚周り弾性伸縮部材を設ける形態と比較して、内装体２００に内蔵される吸収体５６に対して直接的に引上げ力が作用し、よって股間部の垂れ下がり防止効果に優れる。そして、斜め交差弾性伸縮部材７０はほぼＸ字状の交差配置となるとともに、胴周り伸縮領域１２Ｘに実質的に繋がる配置となり、さらに、交点における前後方向の交差角βが４５〜９０度とされるとともに、前胴周りフィット領域２１０及び後胴周りフィット領域２１１の間では交点から前側及び後側に向かうにつれて前後方向に対する鋭角側交差角αがそれぞれ減少するよう延在されると、斜め左上に向かう収縮力及び斜め右上に向かう収縮力が、胴周り伸縮領域１２Ｘによりしっかりと身体に押し付けられた部分を支えとして、吸収体５６の広範囲にバランス良く作用し、股間部が幅方向に圧縮されにくく、かつ引上げ力も十分に発揮される。この結果、ゲル化部分の移動集中及び垂れ下がり状態への変形が緩和され、多量吸収後における股間部の垂れ下がりを効果的に防止することができ、多量吸収後における股間部のフィット性、及び装着感が向上する。しかも、後述する実施例からも明らかなように、斜め交差弾性伸縮部材７０の収縮により形成される溝が目立たず、見栄えも良好である。
【００９０】
特に、図示形態のように、外装体１２における胴周り伸縮領域１２Ｘを、内装体２００固定領域の幅方向両端部まで延在させるとともに、内装体２００に対する斜め交差弾性伸縮部材７０の固定部分７１を、少なくとも内装体固定領域２０１の幅方向両端部における胴周り伸縮領域１２Ｘと重なる部位まで延在させていると、斜め交差弾性伸縮部材７０による伸縮部分と胴周り伸縮領域１２Ｘとが連続して一体的な伸縮部分を形成するため、前述の垂れ下がり防止効果がより一層のものとなる。
【００９１】
また、斜め交差弾性伸縮部材７０が交点から前側に延びて前胴周りフィット領域２１０内で左右端部に至る前後方向位置、及び斜め交差弾性伸縮部材７０が交点から後側に延びて後胴周りフィット領域２１１内で左右端部に至る前後方向位置は適宜定めることができる。図示形態のように、斜め交差弾性伸縮部材７０が前胴周りフィット領域２１０内では後端部で、及び後胴周りフィット領域２１１内では前端部でそれぞれ内装体２００の左右端部に至る形態とするのは一つの好ましい形態であるが、前胴周りフィット領域２１０の後端部より前側、及び後胴周りフィット領域２１１の前端部より後側でそれぞれ内装体２００の左右端部に至る形態とすることも可能である。
【００９２】
斜め交差弾性伸縮部材７０を交点から見たとき、前胴周りフィット領域２１０内で左右端部に至る位置よりも前側、及び後胴周りフィット領域２１１内で左右端部に至る位置よりも後側には、斜め交差弾性伸縮部材７０が延在していても、また延在していなくても良い。前者の場合、斜め交差弾性伸縮部材７０における前胴周りフィット領域２１０内で左右端部に至る位置よりも前側に延びる部分、及び後胴周りフィット領域２１１内で左右端部に至る位置よりも後側に延びる部分は、図示形態のように前後方向に沿って延びていることが望ましいが、幅方向外側又は内側に曲線状又は直線状に延びていても良い。
【００９３】
斜め交差弾性伸縮部材７０は、図１２に示すようにその延在方向全体にわたり内装体２００に対して固定することも可能であるが、少なくとも前胴周りフィット領域２１０内で左右端部に至る位置から後胴周りフィット領域２１１内で左右端部に至る位置までが内装体２００に対して固定された固定部分７１とされる限り、他の部分７２は非固定とし、伸縮力が作用しないよう構成することもできる。例えば、図３、図４及び図８に示すように、斜め交差弾性伸縮部材７０が、前胴周りフィット領域２１０の後端部より前側及び後胴周りフィット領域２１１の前端部より後側まで延在する場合、斜め交差弾性伸縮部材７０は、少なくとも前胴周りフィット領域２１０の後端部及び後胴周りフィット領域２１１の前端部では内装体２００に固定された固定部分７１とされ、かつ少なくとも前胴周りフィット領域２１０の後端部より前側及び後胴周りフィット領域２１１の前端部より後側では内装体２００に固定されていない非固定部分７２とされるのは一つの好ましい形態である。この形態によると、胴周り伸縮領域１２Ｘに繋がる部分である前胴周りフィット領域２１０及び後胴周りフィット領域２１１に、好ましくない横皺が発生するのを防止することができる。
【００９４】
また、図２及び４に示すように、内装体２００の両側部を内装体固定領域２０１とせずに、外装体１２に非固定の内装体非固定領域２０２とし、かつ斜め交差弾性伸縮部材７０を前胴周りフィット領域２１０の後端部より前側及び前記後胴周りフィット領域２１１の前端部より後側まで延在させる場合、斜め交差弾性伸縮部材７０を、少なくとも前胴周りフィット領域２１０の後端部より前側及び後胴周りフィット領域２１１の前端部より後側では、内装体非固定領域２０２を通り前後方向に延在させるのも好ましい形態である。このように、前胴周りフィット領域２１０の後端部より前側及び後胴周りフィット領域２１１の前端部より後側ではこの内装体非固定領域２０２に斜め交差弾性伸縮部材７０を通すことにより、斜め交差弾性伸縮部材７０による収縮力は、前胴周りフィット領域２１０の後端部より前側及び後胴周りフィット領域２１１の前端部より後側では直接的には内装体２００にのみ作用し、外装体１２に作用しなくなるため、外装体１２への悪影響を防止することができる。特に、この部位において斜め交差弾性伸縮部材７０による伸縮領域と胴周り伸縮領域１２Ｘとが重なる場合であっても、両者は実質的には繋がった一体的な伸縮部分を形成しつつ、互いに独立的に伸縮することになるため、見栄えや装着感の悪化等を効果的に防止することができる。
【００９５】
もちろん、図１２に示すように、斜め交差弾性伸縮部材７０の全体を内装体固定領域２０１内に位置させても良い。
【００９６】
他方、斜め交差弾性伸縮部材７０の交点は収縮力が集中するため、当該部位において吸収体５６が崩れやすくなる。よって、図１０に示すように、吸収体５６における、斜め交差弾性伸縮部材７０の交点と重なる部位に、厚み方向に貫通する貫通部５６Ｈを予め形成しておくことにより吸収体５６の崩れを防止するのは一つの好ましい形態である。貫通部５６Ｈの形状・寸法は適宜定めることができるが、幅方向に長い長方形又は楕円形が好ましく、面積は５〜１０ｃｍ2程度とすることが好ましい。
【００９７】
＜その他＞
（ａ）  図示形態の外装体１２には、特許文献１〜５に記載されるような、脚開口ＬＯに沿って延在する脚周り弾性伸縮部材や、互いに交差することなく前後方向に沿って延びる引上げ弾性伸縮部材も設けていないが、本発明ではこれらの少なくとも一方を補助的に設けることも可能である。
【００９８】
（ｂ）図１等に示される形態は、外装体１２として、前身頃Ｆを構成する前側外装体１２Ｆ及び後身頃Ｂを構成する後側外装体１２Ｂを個別に有し、かつこれら前側外装体１２Ｆ及び後側外装体１２Ｂが前後方向に離間されている外装二分割タイプの形態への適用例であるが、図１０及び図１１に示されるように、前身頃Ｆから後身頃Ｂにかけて股間部を通り連続する一体的な外装体１２を有する形態にも、上述の斜め交差弾性伸縮部材７０を適用することができる。この場合、股間部カバーシート１２Ｍは省略することができる。
【実施例】
【００９９】
図１〜図８及び図１５に示されるパンツタイプ使い捨ておむつ（実施例）、斜め交差弾性伸縮部材７０の交点の前後方向の交差角度βを１５６度とした図１３に示される比較例１、斜め交差弾性伸縮部材７０の交点を前後２か所とし、各交点の前後方向の交差角度βを１７０度とした設けた図１４に示される比較例２、各交点の前後方向の交差角度βを２０度とした設けた図１６に示される比較例３、斜め交差弾性伸縮部材７０が無い点以外は実施例１と同様の比較例４をそれぞれ用意し、これらを用いて後述する多量吸収後歩行試験を行った。試験に使用したパンツタイプ使い捨ておむつの仕様（寸法等、全て展開状態における値）は以下のとおりであり、斜め交差弾性伸縮部材の有無及び配置以外は共通の素材、構造とした。
【０１００】
（各例共通の仕様）
・おむつ寸法
全長Ｙ：５００ｍｍ
全幅Ｘ：３７４ｍｍ
ウエスト端部Ｗの前後方向長さ：２５ｍｍ
胴周り部Ｔの前後方向長さ：１２０ｍｍ
・前身頃Ｆにおけるウエスト下方部Ｕの細長状弾性伸縮部材１５
太さ：４７０ｄｔｅｘ
伸長率：２７０％
本数：１７本
間隔：５ｍｍ
・後身頃Ｂにおけるウエスト下方部Ｕの細長状弾性伸縮部材１５
太さ：４７０ｄｔｅｘ
伸長率：２７０％
本数：２０本
間隔：５ｍｍ
・後身頃Ｂにおける中間部Ｌの細長状弾性伸縮部材１６
太さ：４７０ｄｔｅｘ
伸長率：２７０％
本数：３本
間隔：１０ｍｍ
・ウエスト端部Ｗの細長状弾性伸縮部材１７
太さ：６２０ｄｔｅｘ
伸長率：２２５％
本数：１０本
間隔：５ｍｍ
・内装体２００の寸法
全長：４２５ｍｍ
全幅：１４０ｍｍ
・吸収体５６の寸法
全長５６Ｙ：３７５ｍｍ
全幅５６Ｘ：１４０ｍｍ
・吸収体の目付け等
パルプ繊維：１０９ｇ／ｍ2
高吸収性ポリマー：２０４ｇ／ｍ2
高吸収性ポリマーの吸水量：６０ｇ／ｇ
【０１０１】
（実施例１の仕様）
・斜め交差弾性伸縮部材７０
有無：有
配置形状：図２
本数：左右各１本
太さ：６２０ｄｔｅｘ
伸長率：２７０％
交点位置：おむつの前後方向中央より前側に１０ｍｍ
前後方向に対する鋭角側交差角α：０〜２５度
交点の前後方向の交差角β：５０度
【０１０２】
（実施例２の仕様）
・斜め交差弾性伸縮部材７０
有無：有
配置形状：図１５
本数：左右各１本
太さ：６２０ｄｔｅｘ
伸長率：２７０％
交点位置：おむつの前後方向中央より前側に１０ｍｍ
前後方向に対する鋭角側交差角α：０〜４５度
交点の前後方向の交差角β：９０度
【０１０３】
（比較例１の仕様）
・斜め交差弾性伸縮部材７０
有無：有
配置形状：図１３
本数：左右各１本
太さ：６２０ｄｔｅｘ
伸長率：２７０％
交点位置：おむつの前後方向中央より後側に１０ｍｍ
前後方向に対する鋭角側交差角α：０〜７８度
交点の前後方向の交差角β：１５６度
【０１０４】
（比較例２の仕様）
・斜め交差弾性伸縮部材７０
有無：有
配置形状：図１４
本数：左右各１本
太さ：６２０ｄｔｅｘ
伸長率：２７０％
交点位置：おむつの前後方向中央より前側に７０ｍｍ及び後側に７０ｍｍ
前後方向に対する鋭角側交差角α：０〜８５度
交点の前後方向の交差角β：１７０度
【０１０５】
（比較例３の仕様）
・斜め交差弾性伸縮部材７０
有無：有
配置形状：図１６
本数：左右各１本
太さ：６２０ｄｔｅｘ
伸長率：２７０％
交点位置：おむつの前後方向中央より後側に１０ｍｍ
前後方向に対する鋭角側交差角α：０〜２６度
交点の前後方向の交差角β：２０度
【０１０６】
（比較例４の仕様）
・斜め交差弾性伸縮部材７０
有無：無
【０１０７】
（多量吸収後歩行試験）
各例のパンツタイプ使い捨ておむつを歩行動作可能なダミー人形に装着し、股間部に７５０ｃｃ／秒の速度で３００ｃｃの人工尿を供給し、人工尿を供給し終えてから３分後に、６０歩／分の歩行速度で１００歩の歩行動作を行った後、正面から写真を撮影し、股間部の垂れ下がり状態を観察した。
【０１０８】
（試験結果）
実施例１の試験結果の写真を図１７（ａ）に、実施例２の試験結果の写真を図１７（ｂ）に、比較例１の試験結果の写真を図１８（ａ）に、比較例２の試験結果の写真を図１８（ｂ）に、比較例３の試験結果の写真を図１８（ｃ）に、及び比較例４の試験結果の写真を図１８（ｄ）にそれぞれ示した。従来例、比較例１及び比較例２は、股間部に形成されたゲル化部分の大きな塊が、両脚に挟まれることにより下方に長く変形し、その影響でおむつの股間部が狭く下方に突出した形状（垂れ下がり状態）となった。これに対して、実施例１及び実施例２ではゲル化部分の移動集中及び垂れ下がり状態への変形が緩和され、多量吸収後における股間部の垂れ下がりを効果的に防止することができた。また、実施例では、斜め交差弾性伸縮部材の収縮により形成される溝が目立たず、見栄えも良好となった。
【０１０９】
＜明細書中の用語の説明＞
明細書中の以下の用語は、明細書中に特に記載が無い限り、以下の意味を有するものである。
【０１１０】
・「前後（縦）方向」とは腹側（前側）と背側（後側）を結ぶ方向を意味し、「幅方向」とは前後方向と直交する方向（左右方向）を意味する。
【０１１１】
・「展開状態」とは自然長の状態から、弾性伸縮部材により収縮した部分を完全に伸ばし広げた状態を意味する。
【０１１２】
・「伸長率」は、自然長を１００％としたときの値を意味する。
【０１１３】
・「人工尿」は、尿素：２ｗｔ％、塩化ナトリウム：０．８ｗｔ％、塩化カルシウム二水和物：０．０３ｗｔ％、硫酸マグネシウム七水和物：０．０８ｗｔ％、及びイオン交換水：９７．０９ｗｔ％を混合したものであり、特に記載の無い限り、温度４０度で使用される。
【０１１４】
・「ゲル強度」は次のようにして測定されるものである。人工尿４９．０ｇに、高吸収性ポリマーを１．０ｇ加え、スターラーで攪拌させる。生成したゲルを４０℃×６０％ＲＨの恒温恒湿槽内に３時間放置したあと常温にもどし、カードメーター（Ｉ．ｔｅｃｈｎｏ  Ｅｎｇｉｎｅｅｒｉｎｇ社製：Ｃｕｒｄｍｅｔｅｒ−ＭＡＸ  ＭＥ−５００）でゲル強度を測定する。
【０１１５】
・「目付け」は次のようにして測定されるものである。試料又は試験片を予備乾燥した後、標準状態（試験場所は、温度２０±５℃、相対湿度６５％以下）の試験室又は装置内に放置し、恒量になった状態にする。予備乾燥は、試料又は試験片を相対湿度１０〜２５％、温度５０℃を超えない環境で恒量にすることをいう。なお、公定水分率が０．０％の繊維については、予備乾燥を行わなくてもよい。恒量になった状態の試験片から米坪板(２００ｍｍ×２５０ｍｍ、±２ｍｍ)を使用し、２００ｍｍ×２５０ｍｍ（±２ｍｍ）の寸法の試料を切り取る。試料の重量を測定し、１平米あたりの重さを算出し、目付けとする。
【０１１６】
・「厚み」は、自動厚み測定器（ＫＥＳ−Ｇ５  ハンディ圧縮計測プログラム）を用い、荷重：０．０９８Ｎ／ｃｍ2、及び加圧面積：２ｃｍ2の条件下で自動測定する。
【０１１７】
・吸水量は、ＪＩＳ  Ｋ７２２３−１９９６「高吸水性樹脂の吸水量試験方法」によって測定する。
【０１１８】
・吸水速度は、２ｇの高吸収性ポリマー及び５０ｇの生理食塩水を使用して、ＪＩＳ  Ｋ７２２４‐１９９６「高吸水性樹脂の吸水速度試験法」を行ったときの「終点までの時間」とする。
【０１１９】
・試験や測定における環境条件についての記載が無い場合、その試験や測定は、標準状態（試験場所は、温度２０±５℃、相対湿度６５％以下）の試験室又は装置内で行うものとする。
【産業上の利用可能性】
【０１２０】
本発明は、上記例等のパンツタイプ使い捨ておむつに利用できるものである。
【符号の説明】
【０１２１】
Ａ１…非伸縮領域、Ａ２…伸縮領域、Ｂ…後身頃、Ｌ…おむつ中間領域、ＬＯ…脚開口、Ｔ…胴周り領域、Ｕ…ウエスト下方部、Ｗ…ウエスト部、ＷＯ…ウエスト開口、Ｆ…前身頃、１１…液不透過性シート、１２…外装体、１２Ａ…サイドシール部、１２Ｂ…後側外装体、１２Ｆ…前側外装体、１２Ｈ…内側シート層、１２Ｍ…股間部カバーシート、１２Ｓ…外側シート層、１２Ｘ…胴周り伸縮領域、１２ｒ…ウエスト側折り返し部分、１４…臀部カバー部、１８…不要弾性伸縮部材、２５…表示シート、３０…トップシート、４０…中間シート、５０…吸収要素、５６…吸収体、５６Ｈ…貫通部、５８…包装シート、６０…立体ギャザー、６２…ギャザーシート、７０…斜め交差弾性伸縮部材、２００…内装体、２０１…内装体固定領域、２１０…前胴周りフィット領域、２１１…後胴周りフィット領域。
【図１】
0006576742.tif 000002
【図２】
0006576742.tif 000003
【図３】
0006576742.tif 000004
【図４】
0006576742.tif 000005
【図５】
0006576742.tif 000006
【図６】
0006576742.tif 000007
【図７】
0006576742.tif 000008
【図８】
0006576742.tif 000009
【図９】
0006576742.tif 000010
【図１０】
0006576742.tif 000011
【図１１】
0006576742.tif 000012
【図１２】
0006576742.tif 000013
【図１３】
0006576742.tif 000014
【図１４】
0006576742.tif 000015
【図１５】
0006576742.tif 000016
【図１６】
0006576742.tif 000017
【図１７】
0006576742.tif 000018
【図１８】
0006576742.tif 000019